(57)【要約】【課題】マイクロホン及び該マイクロホンの保持部材を含むユニットを適正な位置で保持することを可能とし、更に、より密閉性を高めることを可能とした電子機器を提供する。【解決手段】マイク装置は、カバー部材１０１、保持部材１０２、マイクエレメント１０３、プレート１０６を備える。カバー部材１０１は枠形状部１０９に傾斜部１０９ａを有する。保持部材１０２はフランジ部１１０に凸形状部１１０ａを有する。プレート１０６は保持部材１０２をカバー部材１０１に対し押圧する。保持部材１０２の凸形状部１１０ａを枠形状部１０９の傾斜部１０９ａの先端部よりも外周側に位置するように構成する。即ち、カバー部材１０１と保持部材１０２の当接箇所を、保持部材１０２とプレート１０６の当接箇所よりも保持部材１０２のマイクエレメント保持部に近い位置となるように構成する。【選択図】図４
2011130357.tif 000002
【特許請求の範囲】
【請求項１】
弾性を有する材料で形成されるとともに、マイクロホンを保持する保持部が形成される保持部材と、
前記保持部材の前記保持部に保持された前記マイクロホンの集音面に対向し、前記保持部材に当接して配置されるカバー部材と、
前記カバー部材に固定されるとともに前記保持部材における前記カバー部材との当接側とは反対側に当接して配置され、前記保持部材を前記カバー部材に対して押圧する押さえ部材と、を備え、
前記カバー部材と前記保持部材の当接箇所を、前記保持部材と前記押さえ部材の当接箇所よりも前記保持部材の前記保持部に近い位置となるように構成したことを特徴とする電子機器。
【請求項２】
前記カバー部材における前記保持部材との当接箇所を傾斜形状部に形成したことを特徴とする請求項１に記載の電子機器。
【請求項３】
前記カバー部材における前記保持部材との当接箇所を凸形状部に形成したことを特徴とする請求項１に記載の電子機器。
【請求項４】
前記保持部材における前記押さえ部材との当接箇所を凸形状部に形成したことを特徴とする請求項１に記載の電子機器。
【請求項５】
前記押さえ部材における前記保持部材との当接箇所を絞り形状部に形成したことを特徴とする請求項１に記載の電子機器。
【請求項６】
前記保持部材における前記押さえ部材との当接箇所を傾斜形状部に形成したことを特徴とする請求項１に記載の電子機器。
【発明の詳細な説明】
【技術分野】
【０００１】
本発明は、集音を行うためのマイクロホンユニット（以後マイクユニット）を備える電子機器に関する。
【背景技術】
【０００２】
従来、電子機器に組み込まれるマイクユニットの構成例としては図７に示す構成のものがある（例えば、特許文献１参照）。
【０００３】
図７（ａ）は、従来例に係るマイクユニットの構成を示す分解斜視図、図７（ｂ）は、図７（ａ）の要部の構成を模式的に示した図である。
【０００４】
図７において、マイクユニットは、２個のマイクロホン７１２ａ、７１２ｂと、マイクロホン７１２ａ、７１２ｂを弾性的に保持するマイクラバー７１３と、マイクメッシュベース７１６と、マイクプレート７１８を備えており、電子機器に組み込まれる。尚、図中、７１１はマイクワイヤ、７１４はマイクメッシュ、７１５は目隠しクロス、７１７はマイク部外観カバー、７２０はマイクガスケットである。
【０００５】
マイクラバー７１３は、その周縁部に形成されたフランジ部７１３ａがマイクメッシュベース７１６とマイクプレート７１８によって挟まれる。マイクプレート７１８は、固定ねじ７１９によってマイクメッシュベース７１６に固定される。これにより、マイクロホン７１２ａ、７１２ｂは、マイクラバー７１３によってマイクメッシュベース７１６に対して浮かせるように保持される。マイクラバー７１３はゴムによって形成されているため、雑音や外部からの振動を低減させることができる。
【先行技術文献】
【特許文献】
【０００６】
【特許文献１】特開２００９−１５２８０９号公報
【発明の概要】
【発明が解決しようとする課題】
【０００７】
しかしながら、上記特許文献１に記載のマイクユニットは、図７（ｂ）に示すように、マイクラバー７１３に形成されたフランジ部７１３ａが弱い構造となっている。そのため、マイクラバー７１３におけるマイクロホン７１２ａ、７１２ｂを保持している部分が、マイクメッシュベース７１６の内側に向かって浮き上がる方向（矢印Ｃ方向）に変形してしまうという問題がある。その結果、マイクロホン７１２ａ、７１２ｂが所定の位置に保持されないため、適正な位置で集音することができない。また、変形したマイクラバー７１３のマイクロホン保持部分の周辺が、マイクメッシュベース７１６の内壁に当たってしまい、マイクメッシュベース７１６の振動をマイクロホン７１２ａ、７１２ｂに伝えやすくしてしまうなどの問題が発生する。
【０００８】
本発明の目的は、マイクロホン及び該マイクロホンの保持部材を含むユニットを適正な位置で保持することを可能とし、更に、より密閉性を高めることを可能とした電子機器を提供することにある。
【課題を解決するための手段】
【０００９】
上記目的を達成するために、本発明の電子機器は、弾性を有する材料で形成されるとともに、マイクロホンを保持する保持部が形成される保持部材と、前記保持部材の前記保持部に保持された前記マイクロホンの集音面に対向し、前記保持部材に当接して配置されるカバー部材と、前記カバー部材に固定されるとともに前記保持部材における前記カバー部材との当接側とは反対側に当接して配置され、前記保持部材を前記カバー部材に対して押圧する押さえ部材と、を備え、前記カバー部材と前記保持部材の当接箇所を、前記保持部材と前記押さえ部材の当接箇所よりも前記保持部材の前記保持部に近い位置となるように構成したことを特徴とする。
【発明の効果】
【００１０】
本発明によれば、カバー部材と保持部材の当接箇所が、保持部材と押さえ部材の当接箇所よりもマイクロホンの保持部に近い位置となるように構成しているため、押さえ部材による保持部材に対する押圧により、カバー部材が保持部材に圧接される。これにより、マイクロホン及び該マイクロホンの保持部材を含むユニットを適正な位置で保持することが可能となり、より密閉性を高めることが可能となる。
【図面の簡単な説明】
【００１１】
【図１】本発明の第１の実施の形態に係る電子機器のマイク部の構成を示す分解斜視図である。
【図２】電子機器のマイク部の構成を示す断面図である。
【図３】電子機器のマイク部の要部の構成を模式的に示した図である。
【図４】図３の状態からマイクユニットの組み込みを示す図である。
【図５】本発明の第２の実施の形態に係る電子機器のマイク部の要部の構成を模式的に示した図である。
【図６】本発明の第３の実施の形態に係る電子機器のマイク部の要部の構成を模式的に示した図である。
【図７】（ａ）は、従来例に係るマイクユニットの構成を示す分解斜視図、（ｂ）は、（ａ）の要部の構成を模式的に示した図である。
【発明を実施するための形態】
【００１２】
以下、本発明の実施の形態を図面に基づいて説明する。
【００１３】
〔第１の実施の形態〕
図１は、本発明の第１の実施の形態に係る電子機器として、ビデオカメラにおけるマイク部１２の構成を示す分解斜視図である。図２は、マイク部１２の構成を示す断面図である。図３は、マイク部１２の要部の構成を模式的に示した図である。図４は、図３の状態からマイクユニットの組み込みを示す図である。
【００１４】
マイク部１２は、マイクユニット１１、カバー部材１０１、プレート１０６等から構成されている。マイクユニット１１は、左右の音を個別に集音することができるステレオ構造を有しており、保持部材１０２、２個のマイクロホンエレメント（以後マイクエレメント）１０３、ワイヤ１０４、コネクタ１０５から構成されている。２個のマイクエレメント１０３は、保持部材１０２に対して所定の間隔で配置される。ワイヤ１０４及びコネクタ１０５は、２個のマイクエレメント１０３を電気的に接続する。
【００１５】
カバー部材１０１は、保持部材１０２に保持される２個のマイクエレメント１０３の集音面に対向し、保持部材１０２に当接して配置される。保持部材１０２は、例えばゴムまたはゲルなどの弾性を有する材料から構成されており、２個のマイクエレメント１０３を弾性的に保持する。保持部材１０２には、２個のマイクエレメント１０３を浮かせるようにしてそれぞれ保持するマイクエレメント保持部である凹部１１１、１１２（図３参照）と、ワイヤ１０４とコネクタ１０５を通す穴が形成されている。更に、保持部材１０２には、マイクユニット１１をカバー部材１０１に保持するためのフランジ部１１０が形成されている。
【００１６】
マイク部１２は、カバー部材１０１に形成された凹部１０１ａに、マイクユニット１１を保持部材１０２のフランジ部１１０を残して落とし込み、その前面側に導電性を有するプレート１０６を配置することで構成される。２個のマイクエレメント１０３は、その集音面がカバー部材１０１の凹部１０１ａの内壁に対向する状態で配置される。カバー部材１０１の凹部１０１ａの内壁におけるマイクエレメント１０３の集音面に対向する箇所には、開口部１０８が形成されており、外部からの音をマイクエレメント１０３により集音できるような構造になっている。
【００１７】
プレート１０６は、保持部材１０２におけるカバー部材１０１との当接側とは反対側に当接して配置され、保持部材１０２をカバー部材１０１に対して押圧する押さえ部材であり、ねじ１０７によってカバー部材１０１に固定される。ねじ１０７の締め込みによって保持部材１０２をカバー部材１０１に対して押圧することで、マイクユニット１１を前後方向（図１の矢印Ａ−Ｂ方向）において弾性的に保持する。
【００１８】
カバー部材１０１の凹部１０１ａの周囲には、枠形状部１０９が形成されている。図２、図３に示す如く、カバー部材１０１の枠形状部１０９には、傾斜部１０９ａ（傾斜形状部）が設けられている。枠形状部１０９の傾斜部１０９ａは、マイクユニット１１の組み込み時に傾斜部１０９ａの内周側（先端部）が外周側よりも先に保持部材１０２のフランジ部１１０に当接するように構成されている。
【００１９】
また、図２、図３に示す如く、保持部材１０２のフランジ部１１０におけるプレート１０６と当接する面には、凸形状部１１０ａが形成されている。保持部材１０２は、上述したように弾性を有する材料から構成されているため、プレート１０６がカバー部材１０１に固定された状態において、保持部材１０２の凸形状部１１０ａは、図２に示す如くプレート１０６の押圧力で圧接されつぶれた状態となっている。
【００２０】
本実施の形態であるビデオカメラのマイク部では以下の特徴を有する。保持部材１０２の凸形状部１１０ａは、枠形状部１０９の傾斜部１０９ａの先端部（保持部材１０２のフランジ部１１０との当接箇所）よりも外周側に位置するように構成されている。換言すれば、カバー部材１０１と保持部材１０２の当接箇所が、保持部材１０２とプレート１０６の当接箇所よりも、マイクエレメント１０３を保持する保持部材１０２の凹部（マイクエレメント保持部）に近い位置となるように構成されている。
【００２１】
次に、上記の如く構成されたビデオカメラのマイク部のマイクユニット１１（保持部材１０２、マイクエレメント１０３、ワイヤ１０４、コネクタ１０５）の組み込み時の動作を図３及び図４を用いて説明する。
【００２２】
マイクユニット１１の組み込みを行う際は、図３に示す如く、カバー部材１０１の凹部１０１ａに、保持部材１０２のフランジ部１１０がカバー部材１０１の枠形状部１０９の傾斜部１０９ａに当接するようにしてマイクユニット１１を落とし込む。更に、保持部材１０２におけるカバー部材１０１の傾斜部１０９ａとの当接側とは反対側に、プレート１０６を配置する。プレート１０６をねじ１０７によってカバー部材１０１に対して締め込んでいくと、プレート１０６は保持部材１０２の凸形状部１１０ａを矢印Ａ方向に押圧していく。
【００２３】
これに伴い、図４に示す如く、弾性を有する材料からなる保持部材１０２のフランジ部１１０の凸形状部１１０ａがプレート１０６に押圧され、カバー部材１０１の枠形状部１０９の傾斜部１０９ａの先端部がフランジ部１１０に食い込むようになる。その結果、マイクユニット１１はプレート１０６に対して矢印Ｂ方向の力で付勢される。
【００２４】
これにより、マイクユニット１１のマイクエレメント１０３を浮かせたような状態で適正な位置で保持することが可能となる。また、マイクユニット１１が矢印Ａ方向（図３）に浮き上がって変形しカバー部材１０１の凹部１０１ａの内壁に接することを防止できるため、カバー部材１０１の振動がマイクエレメント１０３に伝わらないようにすることが可能となる。また、カバー部材１０１の傾斜部１０９ａが保持部材１０２のフランジ部１１０に食い込む構造により、マイクユニット１１の密閉性を高めることが可能となる。
【００２５】
尚、本実施の形態では、カバー部材１０１の枠形状部１０９を、マイクユニット１１の組み込み時に傾斜部１０９ａの内周側が外周側より先に保持部材１０２のフランジ部１１０に当接する傾斜形状とした場合を例に挙げたが、これに限定されるものではない。例えば、枠形状部１０９の内周側が略全周にわたって凸形状になっている構成でもよい。
【００２６】
以上説明したように、本実施の形態によれば、マイクエレメント１０３を保持する保持部材１０２とプレート１０６の当接箇所を、保持部材１０２とカバー部材１０１の当接箇所よりも外周側に位置するように構成している。ビデオカメラのマイク部におけるマイクユニット１１の組み込み時には、プレート１０６をカバー部材１０１にねじで締め込んで押圧することで、カバー部材１０１の枠形状部１０９の傾斜部１０９ａが保持部材１０２のフランジ部１１０に食い込む構造となる。
【００２７】
本構成により、マイクユニット１１のマイクエレメント１０３を浮かせたような状態で適正な位置で保持することが可能となり、適正な位置で集音することが可能となる。また、マイクユニット１１をカバー部材１０１の凹部１０１ａの内壁に接しないように付勢できるため、凹部１０１ａを必要以上に大きくする必要がなく且つ簡単な省スペース構造で、カバー部材１０１の振動がマイクユニット１１に伝わることを防止できる。また、保持部材１０２のフランジ部１１０にカバー部材１０１とプレート１０６の一部を食い込ませるようにしてマイクユニット１１を組み込むため、従来以上にマイクユニット１１の密閉性を高めることが可能となる。
【００２８】
〔第２の実施の形態〕
本発明の第２の実施の形態は、上記第１の実施の形態に対して、図５で説明する点において相違する。本実施の形態のその他の要素は、上記第１の実施の形態（図１、図２）の対応するものと同一なので説明を省略する。
【００２９】
上記第１の実施の形態では、カバー部材１０１における保持部材１０２との当接箇所を、カバー部材１０１の枠形状部１０９に設けた傾斜部１０９ａによって構成した。また、保持部材１０２におけるプレート１０６との当接箇所を、保持部材１０２のフランジ部１１０に設けた凸形状部１１０ａによって構成した。
【００３０】
これに対し、本実施の形態では、カバー部材１０１における保持部材１０２との当接箇所を、カバー部材１０１の枠形状部１０９に設けた後述する凸形状部によって構成したものである。また、プレート１０６における保持部材１０２との当接箇所を、プレート１０６に設けた後述する絞り形状部によって構成したものである。以下詳細を説明する。
【００３１】
図５は、本実施の形態に係るビデオカメラのマイク部の要部の構成を模式的に示した図である。図中、図３と同じ符号で示す部材は図３と同じ部材であり、その説明を省略する。
【００３２】
図５において、カバー部材１０１の枠形状部１０９の先端部の内周側には、略全周にわたって凸形状部２０１が設けられている。カバー部材１０１の凸形状部２０１には、マイクユニット１１を構成する保持部材１０２のフランジ部１１０が当接している。また、プレート１０６における上記カバー部材１０１の凸形状部２０１よりも外周側には、略全周にわたって絞り形状部２０２が設けられている。
【００３３】
本実施の形態であるビデオカメラのマイク部は以下の特徴を有する。プレート１０６の絞り形状部２０２は、カバー部材１０１の凸形状部２０１よりも外周側に位置するように構成されている。換言すれば、カバー部材１０１と保持部材１０２の当接箇所が、保持部材１０２とプレート１０６の当接箇所よりも、マイクエレメント１０３を保持する保持部材１０２の凹部（マイクエレメント保持部）に近い位置となるように構成されている。
【００３４】
マイクユニット１１の組み込みを行う際は、カバー部材１０１の凹部１０１ａに、保持部材１０２のフランジ部１１０がカバー部材１０１の凸形状部２０１に当接するようにしてマイクユニット１１を落とし込む。更に、保持部材１０２におけるカバー部材１０１の凸形状部２０１との当接側とは反対側にプレート１０６を配置し、プレート１０６をねじ１０７によってカバー部材１０１に対して固定する。これに伴い、プレート１０６が保持部材１０２のフランジ部１１０を矢印Ａ方向に押圧していくため、プレート１０６はカバー部材１０１及び保持部材１０２に対して圧接して固定される。
【００３５】
これにより、マイクユニット１１が矢印Ｂ方向に付勢されるため、マイクユニット１１のマイクエレメント１０３を浮かせたような状態で適正な位置で保持することが可能となる。また、マイクユニット１１がカバー部材１０１の凹部１０１ａの内壁に接することを防止でき、カバー部材１０１の振動がマイクエレメント１０３に伝わらないようにすることが可能となる。また、マイクユニット１１の密閉性を高めることが可能となる。
【００３６】
以上説明したように、本実施の形態によれば、上記第１の実施の形態と同様に、マイクユニット１１を適正な位置で保持することが可能となると共に従来以上にマイクユニット１１の密閉性を高めることが可能となる。
【００３７】
〔第３の実施の形態〕
本発明の第３の実施の形態は、上記第１の実施の形態に対して、図６で説明する点において相違する。本実施の形態のその他の要素は、上記第１の実施の形態（図１、図２）の対応するものと同一なので説明を省略する。
【００３８】
上記第１の実施の形態では、カバー部材１０１における保持部材１０２との当接箇所を、カバー部材１０１の枠形状部１０９に設けた傾斜部１０９ａによって構成した。また、保持部材１０２におけるプレート１０６との当接箇所を、保持部材１０２のフランジ部１１０に設けた凸形状部１１０ａによって構成した。
【００３９】
これに対し、本実施の形態では、保持部材１０２におけるカバー部材１０１との当接箇所を、保持部材１０２に設けた後述する凸形状部によって構成したものである。また、保持部材１０２におけるプレート１０６との当接箇所を、保持部材１０２に設けた後述する傾斜部によって構成したものである。以下詳細を説明する。
【００４０】
図６は、本実施の形態に係るビデオカメラのマイク部の要部の構成を模式的に示した図である。図中、図３と同じ符号で示す部材は図３と同じ部材であり、その説明を省略する。
【００４１】
図６において、カバー部材１０１の枠形状部１０９の先端部は、平坦面に形成されている。マイクユニット１１を構成する保持部材１０２のフランジ部１１０における上記カバー部材１０１の枠形状部１０９の平坦面の内周側に対向する箇所には、略全周にわたって凸形状部３０１が設けられている。マイクユニット１１は、保持部材１０２の凸形状部３０１がカバー部材１０１の枠形状部１０９に当接するようにして配置される。
【００４２】
保持部材１０２のフランジ部１１０における凸形状部３０１形成面とは反対側の面の周縁部には、略全周にわたって傾斜部３０２（傾斜形状部）が設けられている。保持部材１０２の傾斜部３０２は、外周側が内周側より厚くなるような形状に構成されており、カバー部材１０１にプレート１０６が固定された際にプレート１０６と当接する当接部３０２ａを備えている。
【００４３】
本実施の形態であるビデオカメラのマイク部は以下の特徴を有する。保持部材１０２の傾斜部３０２の当接部３０２ａは、保持部材１０２の凸形状部３０１よりも外周側に位置するように構成されている。換言すれば、カバー部材１０１と保持部材１０２の当接箇所が、保持部材１０２とプレート１０６の当接箇所よりも、マイクエレメント１０３を保持する保持部材１０２の凹部（マイクエレメント保持部）に近い位置となるように構成されている。
【００４４】
マイクユニット１１の組み込みを行う際は、カバー部材１０１の凹部１０１ａに、保持部材１０２のフランジ部１１０の凸形状部３０１がカバー部材１０１の枠形状部１０９の先端部に当接するようにしてマイクユニット１１を落とし込む。更に、保持部材１０２におけるカバー部材１０１の枠形状部１０９との当接側とは反対側にプレート１０６を配置し、プレート１０６をねじ１０７によってカバー部材１０１に対して固定する。これに伴い、プレート１０６が保持部材１０２の傾斜部３０２を矢印Ａ方向に押圧していくため、プレート１０６はカバー部材１０１及び保持部材１０２に対して圧接して固定される。
【００４５】
これにより、マイクユニット１１が矢印Ｂ方向に付勢されるため、マイクユニット１１のマイクエレメント１０３を浮かせたような状態で適正な位置で保持することが可能となる。また、マイクユニット１１が矢印Ｂ方向に付勢されるため、マイクユニット１１がカバー部材１０１の凹部１０１ａの内壁に接することを防止でき、カバー部材１０１の振動がマイクエレメント１０３に伝わらないようにすることが可能となる。また、マイクユニット１１の密閉性を高めることが可能となる。
【００４６】
以上説明したように、本実施の形態によれば、上記第１の実施の形態と同様に、マイクユニット１１を適正な位置で保持することが可能となると共に従来以上にマイクユニット１１の密閉性を高めることが可能となる。
【００４７】
〔他の実施の形態〕
第１乃至第３の実施の形態では、本発明をその好適な実施の形態に基づいて詳述してきたが、本発明はこれら特定の実施の形態に限定されるものではなく、本発明の要旨を逸脱しない範囲の様々な形態も本発明に含まれる。また、第１乃至第３の実施の形態の一部を適宜組み合わせてもよく、また各部材の材質と形状は必ずしもこれらの実施の形態に限定されるものではない。また、本発明は、その要旨を逸脱しない範囲内で種々の形態に適用できるものであり、マイク部が形成される各種の電子機器（例えばデジタルカメラ、ＭＤレコーダ、ボイスレコーダなど）に適用することができる。
【符号の説明】
【００４８】
１０１  カバー部材
１０２  保持部材
１０３  マイクエレメント
１０６  プレート
１０９ａ  傾斜部
１１０ａ  凸形状部
【図１】
2011130357.tif 000003
【図２】
2011130357.tif 000004
【図３】
2011130357.tif 000005
【図４】
2011130357.tif 000006
【図５】
2011130357.tif 000007
【図６】
2011130357.tif 000008
【図７】
2011130357.tif 000009